(57)【要約】      （修正有）【課題】リアクションホイール組立体（ＲＷＡ）で用いる被制御モータ組立体のための方法及び装置を提供する。【解決手段】宇宙機制御モジュール２２及び多機能入力／出力通信モジュール２４は、宇宙機とＲＷＡ２０との間の通信を可能にする。宇宙機をＲＷＡ２０に結合する、宇宙機電力バス２５、リード２７上の（ＲＷＡ２０への）コマンド入力、及びリード２９上の（ＲＷＡ２０からの）コマンド出力が示される。ＲＷＡ２０の内部で、モータ制御電子機器のブロック、モータ制御器２６、モータ２８及び（ロータ組立体３２の内部の）慣性要素３０が結合される。１つのモータ２８及び１つの慣性要素３０のみが示されるが、実際には２つ以上のモータ２８と２つ以上の各慣性要素３０とが存在し得る。【選択図】図１
2018111486.tif 000002
【特許請求の範囲】
【請求項１】
リアクションホイール組立体（ＲＷＡ）で用いられるモータ制御器であって、
宇宙機に関連する宇宙機電力バスとＲＷＡ内部電力バスとの間で電気ノイズ及び電磁ノイズが伝達されるのを抑制するように構成された内部電力バスフィルタと、
ＡＣモータに関連するモータ相電流のための経路を提供する電源スイッチ素子の配置であって、前記ＡＣモータと前記ＲＷＡ電力バスとの間で結合される電源スイッチ素子の配置と、
前記ＡＣモータ及び前記電源スイッチ素子の配置に結合されるデジタル制御システムであって、
コマンド入力を受信し、
前記ＡＣモータに関連する位置センサのフィードバックを受信し、
前記ＡＣモータに関連するパラメータをメモリから取得し、かつ、
前記コマンド入力、前記ＡＣモータに関連する前記位置センサのフィードバック及び前記パラメータに基づいて、（ｉ）前記電源スイッチ素子の配置の作動を制御し、（ｉｉ）データ出力を生成するように構成されたデジタル制御システムとを備えるモータ制御器。
【請求項２】
前記ＡＣモータに関連する前記パラメータはトルク定数及び最大電流を含む、請求項１に記載のモータ制御器。
【請求項３】
前記位置センサのフィードバックは、前記ＡＣモータに関連するロータ位置又はロータ速度を含む、請求項２に記載のモータ制御器。
【発明の詳細な説明】
【技術分野】
【０００１】
関連出願の相互参照
[0001]本出願は、２０１７年１月６日に出願された米国特許仮出願第６２４４３２３７号の利益を主張するものである。
【０００２】
[0002]本開示は、一般に、運動量制御デバイス及び方法に関し、より詳細には、運動量制御デバイスで用いるモータ制御電子機器に関する。
【背景技術】
【０００３】
[0003]コントロールモーメントジャイロスコープ（ＣＭＧ：ｃｏｎｔｒｏｌ  ｍｏｍｅｎｔ  ｇｙｒｏｓｃｏｐｅ）及びリアクションホイールなどの運動量制御デバイスは通常、宇宙機、衛星、輸送手段及び類似の移動プラットフォームにおいて用いられる姿勢制御システム内に配備される。一般化された運動量制御デバイスは、ロータ組立体筐体内に回転可能に設置されるロータ組立体を含む。このロータ組立体は、慣性要素、典型的には回転質量又は外側リムを含み、この慣性要素はロータ軸に固定して結合される。運動量制御デバイスの動作中、一般的にモータ制御電子機器のブロックによって駆動されるモータは、ロータ組立体をスピン軸を中心に回転又はスピンさせる。モータがロータ組立体をスピンさせると、回転する慣性要素に角運動量が蓄積される。次に、角運動量はトルクに変換される（トルクは角運動量の時間微分である）。宇宙空間において宇宙機の姿勢を変えるために、トルクは宇宙機との間で交換される。スピン軸を中心にスピンする過程で、ロータ組立体内の慣性要素は位置を変え、この位置はロータ位置と呼ばれることがある。三次元姿勢制御を準備するために、複数の運動量制御デバイスが組み合わされてリアクションホイールアレイ又は組立体（ＲＷＡ：ｒｅａｃｔｉｏｎ  ｗｈｅｅｌ  ａｒｒａｙ  ｏｒ  ａｓｓｅｍｂｌｙ）を形成することができる。
【発明の概要】
【発明が解決しようとする課題】
【０００４】
[0004]衛星応用例が進化するのに伴って、望ましい衛星の大きさの範囲は拡大している。具体的には、小規模衛星応用例の分野が現れ、このことは、小規模衛星を商業的に望ましいものにしている。効率的な小規模衛星を競争力のあるように生産するためには、ＲＷＡ構成要素のすべてが、確実かつ効率的に縮小しなければならない。より小規模のリアクションホイール及びより小規模のモータに加えて、小規模衛星がモータ制御電子機器用に利用できるスペース（ｒｅａｌ  ｅｓｔａｔｅ）はより小さい。提供される開示及び実施形態は、これらの必要性及び他の設計上考慮すべき事柄に取り組む。
【０００５】
[0005]本概要は、下記の「発明を実施するための形態」のセクションにおいてさらに記述される概念の１つの選択肢を単純な形態で紹介するために提供される。本概要は、特許請求される主題の重要な特徴又は不可欠な特徴を特定することを意図するものではなく、また、特許請求される主題の範囲を決定するのを助けるものとして用いられることを意図するものでもない。
【課題を解決するための手段】
【０００６】
[0006]リアクションホイール組立体（ＲＷＡ）で用いられるモータ制御器が提供され、このモータ制御器は、宇宙機に関連する宇宙機電力バスとＲＷＡ内部電力バスとの間で電気ノイズ及び電磁ノイズが伝達されるのを抑制するように構成された内部電力バスフィルタと、ＡＣモータに関連するモータ相電流のための経路を提供する電源スイッチ素子の配置であって、ＡＣモータとＲＷＡ電力バスとの間で結合される電源スイッチ素子の配置と、ＡＣモータ及び電源スイッチ素子の配置に結合されるデジタル制御システムであって、コマンド入力を受信し、ＡＣモータに関連する位置センサのフィードバックを受信し、ＡＣモータに関連するパラメータをメモリから取得し、かつ、コマンド入力、ＡＣモータに関連する位置センサのフィードバック及びパラメータに基づいて、（ｉ）電源スイッチ素子の配置の作動を制御し、（ｉｉ）データ出力を生成するように構成されたデジタル制御システムとを備える。
【０００７】
[0007]また、リアクションホイール組立体（ＲＷＡ）で用いられる被制御モータ組立体も提供される。この被制御モータ組立体は、宇宙機に関連する宇宙機電力バスとＲＷＡ電力バスとの間で結合されるフィルタであって、この宇宙機電力バスとＲＷＡ電力バスとの間の電磁ノイズの伝達を抑制するように構成されたフィルタと、宇宙機からの入力に基づいて動作するように構成されたＡＣモータと、モータ相電流のための経路を提供する電源スイッチ素子の配置であって、ＡＣモータ及びＲＷＡの内部の電力バスに結合される電源スイッチ素子の配置と、ＡＣモータ及び電源スイッチ素子の配置に結合されるデジタル制御システムであって、複数のサポートされた通信プロトコルの中からユーザ要求の通信プロトコルを受信し、ユーザ要求のシリアルプロトコルに従ったコマンド入力を受信し、ＡＣモータに関連する位置センサのフィードバックを受信し、ＡＣモータに関連するパラメータをメモリから取得し、かつ、コマンド入力、ＡＣモータに関連する位置センサのフィードバック及びパラメータに基づいて、電源スイッチ素子の配置の作動を制御し、シリアル遠隔計測出力又はシリアルコマンド応答出力を生成するように構成されたデジタル制御システムとを備える。
【０００８】
[0008]加えて、リアクションホイール組立体（ＲＷＡ）が提供され、このリアクションホイール組立体（ＲＷＡ）は、ロータ組立体と、モータ制御器、第１の周波数で動作するように構成されたＡＣモータ、宇宙機に関連する宇宙機電力バスをＲＷＡ電力バスに結合するフィルタであって、宇宙機電力バスとＲＷＡの内部のＲＷＡ電力バスとの間で第１の周波数の電磁ノイズが結合されるのを抑制するよう構成されたフィルタ、ＡＣモータとフィルタとの間で結合される電源スイッチ素子の配置であって、（ｉ）第１の周波数に基づき、（ｉｉ）ＡＣモータに関連するモータ相電流のための経路を提供するように構成された電源スイッチ素子の配置、及び、ＡＣモータ及び電源スイッチ素子の配置に結合されるデジタル制御システムであって、複数のサポートされた通信プロトコルの中からユーザによって要求された通信プロトコルのコマンド入力を受信し、ＡＣモータに関連する位置フィードバックを位置センサから受信し、ＡＣモータに関連するパラメータを不揮発性メモリから取得し、かつ、コマンド入力、ＡＣモータに関連する位置フィードバック及びパラメータに基づいて、電源スイッチ素子の配置の作動を制御し、シリアル遠隔計測出力又はシリアルコマンド応答出力を生成するように構成されたデジタル制御システムを備える被制御モータ組立体とを備える。
【０００９】
[0009]添付の図面及びこの背景技術と併せて、以下の「発明を実施するための形態」及び添付の特許請求の範囲から他の望ましい特徴が明らかとなろう。
[0010]同様の参照数字が同様の要素を示す添付の図面と併せて、以下の「発明を実施するための形態」から、本主題のより完全な理解が得られるであろう。
【図面の簡単な説明】
【００１０】
【図１】[0011]さまざまな実施形態による、ＲＷＡを示す簡略化された概略構成図である。
【図２】[0012]さまざまな例示の実施形態による、ＲＷＡ設計用の被制御モータ組立体を示す簡略化された構成図である。
【図３】[0013]ＲＷＡ内で図２に示す被制御モータ組立体を用いるための方法の流れ図である。
【発明を実施するための形態】
【００１１】
[0014]以下の「発明を実施するための形態」は本質的に単なる例証であるにすぎず、主題の実施形態又はそのような実施形態の応用例及び使用の制限が意図されるわけではない。本明細書で用いられる「例示の」という単語は、「例、事例又は例証としての役割を果たす」ことを意味する。したがって、本明細書で「例示の」として記述されるいかなる実施形態も、他の実施形態よりも好ましい、又は有利であると必ずしも解釈されるわけではない。本明細書において記述される実施形態はすべて、当業者がＲＷＡ内の被制御モータ組立体を製造又は使用することができるようにするために提供される例示の実施形態であり、特許請求の範囲によって定められるモータ制御電子機器又は被制御モータ組立体の範囲を限定するためのものではない。さらに、前述の「技術分野」、「背景技術」、「発明の概要」、又は以下の「発明を実施するための形態」において提示される明確に示される、又は暗に示されるいかなる理論によっても束縛される意図はない。
【００１２】
[0015]図１は、さまざまな実施形態による、ＲＷＡ２０の簡略化された概略構成図を示す。このＲＷＡ２０は、運動量制御デバイスを利用する、宇宙機１０の一部であり得、又は、そうではなく衛星又は任意の移動プラットフォームの一部であってよい。宇宙機制御モジュール２２及び多機能入力／出力通信モジュール２４は、宇宙機１０とＲＷＡ２０との間の通信を可能にする。宇宙機１０をＲＷＡ２０に結合する、宇宙機電力バス２５、リード２７上の（ＲＷＡ２０への）コマンド入力、及びリード２９上の（ＲＷＡ２０からの）コマンド出力が示される。ＲＷＡ２０の内部で、モータ制御電子機器のブロック、モータ制御器２６、モータ２８及び（ロータ組立体３２の内部の）慣性要素３０が結合される。１つのモータ２８及び１つの慣性要素３０のみが示されるが、実際には２つ以上のモータ２８と２つ以上の各慣性要素３０とが存在し得ることは容易に理解される。
【００１３】
[0016]本明細書において検討される目的は、ノイズを低減させることに加えて、効率、信頼性及び拡張性を最適にするようにモータ制御電子機器とモータとを組み合わせることである。以下、最適化されたモータ制御電子機器ブロックをモータ制御器２６と呼び、モータ制御器２６とモータ２８との組合せを被制御モータ組立体４０と呼ぶ。提供される被制御モータ組立体４０は、広範な拡張性を有するように最適化される。また、提供される被制御モータ組立体４０は、小規模又は極小規模の衛星、ＲＷＡ製品の性能要件を満たしつつ、低コストかつ高効率をもたらす。この目的で、さまざまな実施形態において、モータ２８（本明細書では「ＡＣモータ」２８とも呼ばれる）は、高速交流（ＡＣ：ａｌｔｅｒｎａｔｉｎｇ  ｃｕｒｒｅｎｔ）永久磁石型同期モータ（ＰＭＳＭ：ｐｅｒｍａｎｅｎｔ  ｍａｇｎｅｔ  ｓｙｎｃｈｒｏｎｏｕｓ  ｍｏｔｏｒ）、永久磁石型交流（ＰＭＡＣ：ｐｅｒｍａｎｅｎｔ  ｍａｇｎｅｔ  ａｌｔｅｒｎａｔｉｎｇ  ｃｕｒｒｅｎｔ）モータ、又は、本明細書に記述される特徴を実現する複数の種類の高速交流（ＡＣ）モータのうち任意のものを備える。被制御モータ組立体４０は、モータ２８を、アナログ信号処理を最小限にしながらデジタル信号処理を最大限にするモータ制御器２６と組み合わせる。複数の種類の高速交流（ＡＣ）モータを支援するために、被制御モータ組立体４０は不揮発性メモリを用いて、その中に各モータ２８の種類ごとのパラメータを記憶する。それゆえ、被制御モータ組立体４０は（自動的に、かつ保全が介在することなく）モータ２８の種類を検出し、この検出に応答して、検出されたモータ２８の種類に適したタイミング及びメモリ管理を構成することができる。これらの特徴については、図２及び図３に関連して詳細に記述される。
【００１４】
[0017]図２を参照すると、ＲＷＡ２０設計用の被制御モータ組立体４０が提供される。図２は、ＡＣモータ２８と、部分的に、磁界方向制御（ＦＯＣ１０８：ｆｉｅｌｄ  ｏｒｉｅｎｔｅｄ  ｃｏｎｔｒｏｌ）によって行われるデジタル信号処理とを示す。直流（ＤＣ：ｄｉｒｅｃｔ  ｃｕｒｒｅｎｔ）三相モータ（たとえばブラシレスＤＣモータ）を利用する設計は、ＤＣ三相モータに電流を流すために時間のうちのどの３分の２か（すなわち三相のうちのどの二相か）についてモータ制御器２６による決定を要するのが一般的であるのに対して、利用されるＡＣモータ２８は、連続時間領域制御された交流（ＡＣ）波形で動作するように構成される。ＡＣモータ２８は、ノード３５を介して連続時間領域制御された交流（ＡＣ）波形を受信する（ゆえに、ＡＣモータ２８は常に駆動されるように構成される）。下記でより詳細に記述されるように、ＡＣモータ２８を駆動するノード３５上のモータ相電流波形は、宇宙機１０からの１つ又は複数の入力（たとえば、リード２７及び宇宙機電力バス２５）に基づくノード３５−１、３５−２及び３５−３上のモータ相電流波形の組合せである。加えて、下記でより詳細に記述されるように、例示の実施形態はＦＯＣ１０８を含むデジタル制御システム８６を利用し、ノード３５上の電流波形の生成においてデジタル電子機器の使用を最大限に活用し、宇宙機制御モジュール２２にかかる負担を軽減する。
【００１５】
[0018]図２に示す実施形態では、モータ制御器２６は、フィルタ８２、デジタル制御システム８６、及び電源スイッチ素子８４の配置を備える。さまざまな実施形態において、モータ制御器２６は、温度センサ９０、アナログ−デジタル変換器９２、電流センサ９６及びデジタルアイソレータ９８のうちの１つ又は複数をさらに備えてよい。被制御モータ組立体４０は、前述のモータ制御器２６及びＡＣモータ２８を備えることができる。
【００１６】
[0019]モータ制御器２６には、いくつかのＩ／Ｏ端子（加えて接地）が結合される。図２を参照すると、このＩ／Ｏ端子は、（ｉ）宇宙機電力バス電圧（ＶＢＵＳ）を含み、電流が宇宙機１０からモータ制御器２６に、かつモータ制御器２６から移動できるようにする宇宙機電力バス２５と、（ｉｉ）複数の異なるサポートされた通信プロトコルを用いて与えられ得る宇宙機１０からのコマンドを受け付けるリード２７上のコマンド入力と、（ｉｉｉ）リード２９上のコマンド出力とを含む。リード２７上のコマンド入力は、デジタル制御システム８６によってサポートされる複数の異なる通信プロトコルの中から選択的に調整するために用いられ得る。選択的な調整は、リード２７上のさらなるコマンドの受信を開始するのに先立って、（リード２７上のコマンド入力としての）ユーザ又はシステム要求の通信プロトコルを検知すること、及びそれに応じてデジタル制御システム８６内のタイミングプロトコル及びデータ管理プロトコルを調整することを含み得る。一実施形態では、リード２７はユーザ要求のシリアルプロトコルを受信し、次にユーザ要求のシリアルプロトコルに従った入力コマンドを受信する。しかしながら、他の実施形態では、リード２７はさまざまなパラレルプロトコルに従ったコマンドを受信する。リード２９上のコマンド出力はシリアル遠隔計測出力又はシリアルコマンド応答出力であってよく、これはリード２７上のコマンド入力に基づく。
【００１７】
[0020]ＡＣモータ２８、デジタル制御システム８６、及び電源スイッチ素子８４の配置は結合され、本明細書において記述される通り、それらの構成は相互の機能である。ＡＣモータ２８は、高周波信号（ノード３５−１、３５−２及び３５−３上のモータ相電流、まとめてノード３５上のモータ相電流）で動作するように（又は高周波信号によって駆動されるように）構成される。この応用例のために、「高周波」は約２００ＫＨｚ以上を意味する。ノード３５上の高周波信号はデジタル制御システム８６から送られ、高周波パルス幅変調された（ＰＷＭ：ｐｕｌｓｅ  ｗｉｄｔｈ  ｍｏｄｕｌａｔｅｄ）信号として受信される。
【００１８】
[0021]デジタル制御システム８６は、パルス幅変調器１００−１、１００−２及び１００−３、まとめてＰＷＭ１００を介して高周波信号（ノード３５上のモータ相電流）を生成し（下記で詳細に記述される）、これらの高周波信号は電源スイッチ素子８４の配置（スイッチ８４−１、スイッチ８４−２及びスイッチ８４−３）を駆動し、これは結果としてノード３５上のモータ相電流を生じる。
【００１９】
[0022]電源スイッチ素子８４は、ＡＣモータ２８の周波数に対応するために早いスイッチング速度を有するように構成される。一実施形態では、電源スイッチ素子８４は窒化ガリウム（ＧａＮ）トランジスタであり、シリコンＭＯＳＦＥＴスイッチより少なくとも一桁速く切り換える。電源スイッチ素子８４は、ＡＣモータ２８とフィルタ８２との間で結合され、ノード３５−１、３５−２及び３５−３上のモータ相電流のための経路を提供する。デジタル制御システム８６は、コマンド入力、ＡＣモータに関連する位置センサのフィードバック及びパラメータに基づいて電源スイッチ素子８４の作動を制御し、制御はＰＷＭ１００を介して電源スイッチ素子８４の作動に対して行われる。パラメータは不揮発性メモリ（ＮＶＭ：ｎｏｎ−ｖｏｌａｔｉｌｅ  ｍｅｍｏｒｙ）８８に記憶され得る。コマンド入力、ＡＣモータに関連する位置センサのフィードバック及びパラメータのいずれか１つの変更はＰＷＭ１００構成要素の変更をトリガし、これは、電源スイッチ素子８４の作動の変更をトリガする。本明細書において用いられるように、「Ａ」が「Ｂ」をトリガする場合、ＢはＡに応答する。一実施形態では、電源スイッチ素子８４の作動を制御することは、たとえば、スイッチ８４−１がノード３５−１を駆動し、スイッチ８４−２がノード３５−２を駆動し、スイッチ８４−３がノード３５−３を駆動するための一連の作動を（ＰＷＭ１００構成要素を介して）制御することによって、電源スイッチ素子８４を別々に制御することをさらに含む。電流は、内部ＲＷＡバス３１及び宇宙機電力バス２５を介して電源スイッチ素子８４の配置に、及び電源スイッチ素子８４の配置から移動することができる。
【００２０】
[0023]フィルタ８２は、宇宙機電力バス２５と内部ＲＷＡバス３１との間で電気ノイズ及び電磁ノイズが結合されるのを抑制するように構成される。必要とされるフィルタ８２の大きさもまた、ＡＣモータ２８の周波数とパルス幅変調器１００−１、１００−２及び１００−３とに基づく。必要とされるフィルタ８２の大きさはＡＣモータ２８の周波数と反比例の関係を有し、ＡＣモータ２８の周波数が増加すると、フィルタ８２の大きさは減少し得る。加えて、フィルタ８２は高いｄｖ／ｄｔのパルス幅変調された（ＰＷＭ）エッジに基づいて構成される。実際に、フィルタ８２を電源スイッチ素子８４の配置のできるだけ近くに置くことで、高周波動作に起因してＡＣモータ２８が通常遭遇するストレスを軽減することができる。
【００２１】
[0024]個々の電流センサ９６−１、９６−２及び９６−３（まとめて電流センサ９６）は、任意の商用の電流検知デバイス又は技術を含むことができる。個々の電流センサ９６−１、９６−２及び９６−３は、それぞれ電源スイッチ素子８４の配置とＡＣモータ２８との間で結合される個々のノード３５−１、３５−２及び３５−３上に置かれてよい。電流センサ９６は、アナログ−デジタル変換器９２に検知された電流入力４９を提供する。
【００２２】
[0025]まとめてデジタルアイソレータ９８と呼ばれる個々のデジタルアイソレータ９８−１〜９８−７は、ＡＣモータ２８、電源スイッチ素子８４及び宇宙機電力バス２５のためのガルバニック絶縁を行う。理論上、デジタルアイソレータ９８−１〜９８−７は厳密にはデジタル信号アイソレータであり、デジタル制御システム８６によって生成される非常に高いｄｖ／ｄｔのパルス幅変調された（ＰＷＭ）信号からのノイズに直面したとしても、いかなるアナログ信号も通過させない。図示された実施形態は、個々の電源スイッチ素子、すなわちスイッチ８４−１、スイッチ８４−２及びスイッチ８４−３それぞれにデジタル制御システム８６を結合する個々のデジタルアイソレータ（９８−１、９８−２及び９８−３）を示す。
【００２３】
[0026]温度センサ９０は、応用例に適した任意の商用の温度センサであってよい。この温度センサ９０はＡＣモータ２８内のロータの温度を検知し、ノード４７上のロータ温度入力をアナログ−デジタル変換器９２に提供することができる。アナログ−デジタル変換器９２は、応用例に適した任意の商用のアナログ−デジタル変換器であってよい。このアナログ−デジタル変換器９２は、ノード３３、４９及び４７を介して検知されたアナログ信号を受信し、この検知されたアナログ信号をそれぞれデジタル信号に変換し、これらはデジタル制御システム８６への入力として（ノード４５において）提供される。ＡＣモータ２８のノード４９上で検知されたロータ電流は、ノード３５−１、３５−２及び３５−３から集合的に検知され、宇宙機電力バス２５から検知された電流はノード４３上で入力される。
【００２４】
[0027]位置センサ９４は、ＡＣモータ２８に関連するロータの位置を検知し、その検知された位置はノード４１上のロータ位置になる。位置センサ９４はまた、ノード４３におけるロータ速度になるロータの速度も検知する。動作中、位置センサ９４はノード３７上のアナログ信号を検知し、ノード３９−１、３９−２及び３９−３上でデジタル信号を出力する。一実施形態では、位置センサ９４はホールセンサ９４−１、ホールセンサ９４−２及びホールセンサ９４−３を備える。しかしながら、他の実施形態では、位置センサ９４は、アナログセンサ、光学エンコーダ、リゾルバ、抵抗デバイス及び磁気抵抗デバイスを含むセットから１つ又は複数を備えてよく、また、さまざまな実施形態において、位置センサ９４は１つ又は複数の位置検知スキームを実行して、必要とされるノード３９−１、３９−２及び３９−３上のデジタル信号を作出又は生成することができる。
【００２５】
[0028]デジタル制御システム８６に再度注目すると、デジタル制御システム８６は、モータ制御器２６のためのデジタル信号処理構成要素及びモジュールを備える。デジタル制御システム８６の機能性は、たとえば、ＦＯＣｓ、正弦波ドライブ、ＡＣモータ制御アルゴリズムなど、当技術分野において知られているデジタル論理素子のさまざまな組合せによって実行され得る。デジタル制御システム８６は、１つ又は複数のフィールドプログラマブルゲートアレイ（ＦＰＧＡ：ｆｉｅｌｄ  ｐｒｏｇｒａｍｍａｂｌｅ  ｇａｔｅ  ａｒｒａｙ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、汎用マイクロコントローラ及びマイクロプロセッサをさらに備えることができる。デジタル制御システム８６内での構成要素及びモジュールの配置によって、本明細書に記述される機能を実行するように配置される１つ又は複数の抵抗器、メモリ管理制御、データ管理制御、システムタイミング及び論理ブロックが有ってよい。図２に示す非限定的な例では、デジタル制御システム８６は、ＦＯＣ１０８、不揮発性メモリ（ＮＶＭ８８）、宇宙機インターフェース及びＲＷＡ制御論理１１０、速度検知論理１０６を含むブロック、位置推定器論理１０４を含むブロック、ＡＤＣドライバ及びスケーラ１０２、パルス幅変調器１００−１、１００−２及び１００−３、並びにテストインターフェース１２０を含む。他の実施形態では、デジタル制御システム８６は、フィールドプログラマブルゲートアレイ（ＦＰＧＡ）又は特定用途向け集積回路（ＡＳＩＣ）を備える。デジタル制御システム８６は、デジタルアイソレータ９８を介してＲＷＡ２０の残りの部分のアナログ信号処理からバッファされ得る。デジタル制御システム８６は、リード２９上のデータ出力コマンドとしてのフィードバック（遠隔計測）を宇宙機制御モジュール２２に提供する（たとえば、モータ制御器２６及びＡＣモータ２８の状態など）。
【００２６】
[0029]デジタル制御システム８６は、複数のＡＣモータに関連するパラメータ及び変数をＮＶＭ８８内に記憶する。ＮＶＭ８８は、任意の周知の形式の記憶媒体、又は、任意の種類の読出し専用メモリもしくはランダムアクセスメモリ又はこれらの任意の組合せを含む任意の種類のメモリ技術を含むことができる。これは、たとえば、但しこれらに限定されるわけではないが、電子、磁気、光学、電磁気、赤外線又は半導体のシステム、装置、デバイス又は伝播媒体を含む種々の媒体を包含する。いくつかの実施形態では、ＮＶＭ８８は、たとえば、ランダムアクセスメモリ（ＲＡＭ：ｒａｎｄｏｍ−ａｃｃｅｓｓ  ｍｅｍｏｒｙ）、読出し専用メモリ（ＲＯＭ：ｒｅａｄ−ｏｎｌｙ  ｍｅｍｏｒｙ）、電気的消去可能プログラム可能読出し専用メモリ（ＥＥＰＲＯＭ：ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ）、固体メモリ又は他のメモリ技術、ＣＤ  ＲＯＭ、ＤＶＤ、他の光学ディスク記憶装置、磁気テープ、磁気ディスク記憶装置又は他の磁気記憶デバイス、及び所望のデータを記憶するために用いられ得る任意の他の媒体など、不揮発性の、取外しできる、及び／又は取外しできない媒体を含む。例証を単純化するために、ＮＶＭ８８はデジタル制御システム８６の外部にある単一のブロックとして図示されるが、ＮＶＭ８８は分散されることがあり、かつ、その一部はデジタル制御システム８６の内部にあっても外部にあってもよい。
【００２７】
[0030]ＮＶＭ８８に記憶される複数のＡＣモータの各ＡＣモータに関連するパラメータの非限定的な例として、摩擦、トルク定数及び最大電流を含む。ＮＶＭ８８はまた、さまざまなサポートされた通信プロトコル、メモリ管理プロトコル及びタイミングプロトコルに関するアルゴリズム及び変数を記憶することもできる。リード２７におけるコマンド入力、ノード３３及び３５における位置センサのフィードバック、及びＡＣモータ２８に関連して取得されたパラメータに基づいて、デジタル制御システム８６は（パルス幅変調器１００−１、１００−２及び１００−３を介して）電源スイッチ素子８４の配置の作動を制御し、リード２９においてデータ出力を生成する。一実施形態では、リード２７におけるコマンド入力はユーザ要求されているシリアルコマンド入力であり、リード２９におけるデータ出力はシリアルデータ出力である。
【００２８】
[0031]ＦＯＣ１０８は、ノード５２−１、５２−２及び５２−３（まとめて５２）を介してパルス幅変調器１００−１、１００−２及び１００−３に結合される。一実施形態では、パルス幅変調器１００は、ＦＯＣ１０８の制御下でパルス幅変調を実行する。一実施形態では、パルス幅変調器１００−１、１００−２及び１００−３は、スペクトラム拡散の空間ベクトルパルス幅変調（ＳＶＰＷＭ：ｓｐａｃｅ  ｖｅｃｔｏｒ  ｐｕｌｓｅ  ｗｉｄｔｈ  ｍｏｄｕｌａｔｉｏｎ）を実行し、本明細書に記述されるように、それらの出力は電源スイッチ素子８４の配置を作動させる。
【００２９】
[0032]ＦＯＣ１０８は、ノード５３を介して、宇宙機インターフェース及びＲＷＡ制御論理１１０、速度検知論理１０６、位置推定器論理１０４、及び、ＡＤＣドライバ及びスケーラ１０２に結合される。速度検知論理１０６はＡＣモータ２８のロータ速度を判断し、これは宇宙機インターフェース及びＲＷＡ制御論理１１０を介して外部の宇宙機制御に伝達され得る。位置推定器論理１０４は位置センサ９４から出力を受信し、これを処理し、かつ、これを宇宙機インターフェース及びＲＷＡ制御論理１１０を介してＦＯＣ１０８及び外部の宇宙機制御に伝達する。ＡＤＣ９２は、ノード３３上で検知された宇宙機入力電力バス電流、ノード４９上で検知されたモータ相電流、及びノード４７上で検知されたモータ温度を含むセットから１つ又は複数を受信するように構成される。ＡＤＣドライバ及びスケーラ１０２は、９８−４によってＡＤＣ９２からデジタル的に絶縁される。ＡＤＣドライバ及びスケーラ１０２は、ノード４５においてアナログ−デジタル変換器９２から受信された信号をスケール及び駆動する。
【００３０】
[0033]宇宙機インターフェース及びＲＷＡ制御論理１１０は、ノード５１を介して速度検知論理１０６に結合される。この速度検知モジュールはノード３５上のロータ速度入力（たとえばホールセンサデータ）を受信し、これを速度情報（たとえばＲＰＭ）に変換し、これはまた、宇宙機インターフェース及びＲＷＡ制御論理１１０に送信される。宇宙機インターフェース及びＲＷＡ制御論理１１０は、（ｉ）生成されたリード２９におけるデータ出力がユーザ要求を満たし、かつ（ｉｉ）それに応じてリード２７におけるコマンド入力がデジタル制御システム８６内での使用のために受信されるように、ユーザ要求のコマンドプロトコル、並びにこれに基づく構成論理、タイミング及びデータ処理を受け付ける機能を実行することができる。加えて、宇宙機インターフェース及びＲＷＡ制御論理１１０は、ＦＯＣ１０８のためにデータ信号を調整する。
【００３１】
[0034]図３は、図２の高効率モータ制御器２６に関する方法３００の流れ図を示す。提供されるモータ制御器２６の実施形態では、デジタル制御システム８６は、方法のステップの実行においてアルゴリズム及び関連する規則を実行し、ＮＶＭ８８を参照し、かつ電源スイッチ素子の配置を駆動する。本開示に照らして理解され得るように、方法のステップの順序は図３に示される順次的な実行に限定されるわけではなく、むしろ、適用できるように、かつ本開示に従って、１つ又は複数のさまざまな順序で方法のステップが実行されてよい。さらに理解され得るように、方法の１つ又は複数のステップは、プロセスの精神を変えることなく追加され、又は削除され得る。
【００３２】
[0035]３０２において、宇宙機１０から電力が受信される。３０４において、モータ２８の検出及び識別を含む構成要素の初期設定が行われる。３０６において、識別されたモータ２８に関連するパラメータ及び変数が取得される。パラメータ及び変数の取得に続いて、適切なタイミング及びデータ管理を設定するために追加の初期設定が行われ得る。３０８において、通信プロトコルが受信され得る。前述のように、通信プロトコルはシリアル又はパラレルであってよく、また、ユーザ供給又は宇宙機１０によって提供されるものであってよい。３１０において、宇宙機１０からのコマンドが受信される。３１２において、モータ制御が生成される。リード２９を介する宇宙機への出力は方法３００の実行中いつでも生じ得、リード２７上で受信された入力コマンドによって開始され得る。加えて、電流は、たとえば宇宙機電力バス２５内など、宇宙機１０とモータ制御器２６との間を移動することができる。
【００３３】
[0036]とりわけ、提供されるモータ制御器２６は十分な範囲のモータ制御を実行することができ、これらの義務に関して宇宙機１０の負担を軽減する。たとえば、宇宙機１０は、もはや、たとえば任意の所与のＲＷＡ２０によって用いられる特定のモータ２８の軸受抗力（ｂｅａｒｉｎｇ  ｄｒａｇ）のようなモータ２８の特徴を「知り」、それらの特徴を処理し、次にＲＷＡ２０にモータ制御コマンドを送り返す必要はない。この区分化は、製造及び品質保証の容易さを向上させる。それゆえ、提供されるモータ制御器２６及び被制御モータ組立体４０は、たとえば、重量、部品数、大きさ及びコストを抑えつつ効率を高めるなどさまざまな技術的効果をもたらす。ＲＷＡとの使用に加えて、被制御モータ組立体４０は、環境制御生命維持システム（ＥＣＬＳＳ：Ｅｎｖｉｒｏｎｍｅｎｔａｌ  Ｃｏｎｔｒｏｌ  ａｎｄ  Ｌｉｆｅ  Ｓｕｐｐｏｒｔ  Ｓｙｓｔｅｍ）用の線形位置システム、ジンバル機構、アンテナ機構及びファンを含むセットから１つ又は複数と組み合わされてよい。
【００３４】
[0037]前述の「発明を実施するための形態」では少なくとも１つの例示の実施形態が提示されてきたが、多数の変形形態が存在することを理解されたい。また、例示の実施形態は単なる例にすぎず、本開示の範囲、適用可能性又は構成を限定することは全く意図されないことについても理解されたい。むしろ、前述の「発明を実施するための形態」は、例示の実施形態を実施するための好都合なロードマップを当業者に提供する。添付の特許請求の範囲において述べられる本開示の範囲及びこれらと法的に同等であるものから逸脱することなく、要素の機能及び配置にさまざまな変更が加えられ得ることを理解されたい。
【符号の説明】
【００３５】
１０  宇宙機
２０  ＲＷＡ
２２  宇宙機制御モジュール
２４  多機能入力／出力通信モジュール
２５  宇宙機電力バス
２６  モータ制御器、高効率モータ制御器
２７  リード
２８  モータ、ＡＣモータ
２９  リード
３０  慣性要素
３１  内部ＲＷＡバス
３２  ロータ組立体
３３  ノード
３５  ノード
３５−１  ノード
３５−２  ノード
３５−３  ノード
３７  ノード
３９−１  ノード
３９−２  ノード
３９−３  ノード
４０  被制御モータ組立体
４１  ノード
４３  ノード
４５  ノード
４７  ノード
４９  電流入力、ノード
５１  ノード
５２  ノード
５３  ノード
８２  フィルタ
８４  電源スイッチ素子
８４−１  スイッチ
８４−２  スイッチ
８４−３  スイッチ
８６  デジタル制御システム
８８  不揮発性メモリ、ＮＶＭ
９０  温度センサ
９２  アナログ−デジタル変換器、ＡＤＣ
９４  位置センサ
９４−１  ホールセンサ
９４−２  ホールセンサ
９４−３  ホールセンサ
９６  電流センサ
９８  デジタルアイソレータ
１００  パルス幅変調器、ＰＷＭ
１０２  ＡＤＣドライバ及びスケーラ
１０４  位置推定器論理
１０６  速度検知論理
１０８  磁界方向制御、ＦＯＣ
１１０  宇宙機インターフェース及びＲＷＡ制御論理
１２０  テストインターフェース
【図１】
2018111486.tif 000003
【図２】
2018111486.tif 000004
【図３】
2018111486.tif 000005
【外国語明細書】
2018111486000001.pdf